(57)【要約】【課題】収納や持ち運びの利便性に優れ、構造も簡単な回転式電気接続器を提供すること。【解決手段】所定の間隔で複数の端子穴（１１）が貫通するように形成され、複数の端子穴（１１）に前後端が露出するように複数のプレート状の雄端子（１２）が挿入される雄部ベース（１０）と、所定の間隔で複数の端子穴（２１）が貫通するように形成され、複数の端子穴（２１）に、後端が雄端子（１２）の前端を挟持する略Y字形の雌端子（２２）が挿入される雌部ベース（２０）とを有し、雄部ベース（１０）の両側前端にそれぞれ延出部（１３）が設けられると共に、雌部ベース（２０）の両側後端にそれぞれ、内側に延出部（１３）が挿入される挿入溝（２４）を有するプレート体（２３）が設けられ、それにより雄部ベース（１０）に対して雌部ベース（２０）を回転可能とすること。【選択図】図２
0003123987.tif 000002
【実用新案登録請求の範囲】
【請求項１】
所定の間隔で複数の端子穴（１１）が貫通するように形成され、該複数の端子穴（１１）に前後端が露出するように複数のプレート状の雄端子（１２）が挿入される雄部ベース（１０）と、所定の間隔で複数の端子穴（２１）が貫通するように形成され、該複数の端子穴（２１）に、後端が前記雄端子（１２）の前端を挟持する略Y字形を呈する雌端子（２２）が挿入される雌部ベース（２０）とを有する回転式電気連結器において、
前記雄部ベース（１０）の両側前端にそれぞれ延出部（１３）が設けられると共に、前記雌部ベース（２０）の両側後端にそれぞれ、内側に該延出部（１３）が挿入される挿入溝（２４）を有するプレート体（２３）が設けられ、それにより該雄部ベース（１０）に対して雌部ベース（２０）を回転可能とすることを特徴とする、
回転式電気接続器。
【請求項２】
前記雄部ベース（１０）における延出部（１３）の外側にそれぞれ外方へ延出する回転柱（１４）が設けられると共に、前記雌部ベース（２０）におけるプレート体（２３）の後端にそれぞれ該回転柱（１４）を受け入れるための半円溝（２５）が形成されることを特徴とする、請求項１に記載の回転式電気接続器。
【請求項３】
前記雄部ベース（１０）における延出部（１３）の回転柱（１４）が円柱状を呈し、前記雄部ベース（１０）における延出部（１３）の前端が弧状を呈すると共に、前記雌部ベース（２０）におけるプレート体（２３）の半円溝（２５）の前端が弧状を呈することを特徴とする、請求項１又は２に記載の回転式電気接続器。
【考案の詳細な説明】
【技術分野】
【０００１】
本考案は、特にハードディスクに接続して用いる回転式電気接続器に関するものである。
【背景技術】
【０００２】
例えば、台湾実用新案出願第０９０２１２３６２号、公告番号第５０９４１３号「回転式電気接続器」（特許文献１）には、周知技術である回転式電気接続器が掲示され、その主な構造は以下のようである。
【０００３】
両側の中間付近に外側へ垂直に延出する係合プレートが設けられ、該両側の係合プレートの下側にそれぞれ外側へ垂直に延出する凸柱が設けられ、該凸柱の一側に楔形の切欠きが形成される雄部ベースと、
上側に所定の間隔で設けられる一対の固定端子と、下側底部が弧状を呈する矩形の接続プレートとが連接して成ると共に、該接続プレートの両側に掛合部が凸設され、該接続プレートの上部一側に上方へ延出する連結プレートが設けられ、該連結プレートの底部両側にそれぞれ外側へ折曲して該一対の固定端子と連結し、外側へ延出する一対の連結リブが設けられ、該一対の固定端子の底部に設けられる翼片にそれぞれ外側へ突出する係合部材が設けられる複数の一対の導電体と、
両側に前記雄部ベースの凸柱と対応する小径の弧状孔が形成され、該弧状孔の上側に、一側にフックを有する開口が形成されると共に、該開口の下側中間にスリットが形成される雌部ベースと、
上側に設けられる矩形の接触片、中間翼片及び該中間翼片の底部一側から下方へ向かって延出するピンとから成り、該接触片に斜め下に向かって延出する掛止部材が設けられると共に、該接触片及び中間翼片の両側にそれぞれ外方へ向かって係合部材が凸設される複数の一対の導電プレートとを含む。
【０００４】
【特許文献１】台湾実用新案公告第５０９４１３号
【考案の開示】
【考案が解決しようとする課題】
【０００５】
しかしながら、前記した従来の回転式電気接続器におけるその導電体は、上側に所定の間隔で設けられる固定端子と、下側底部が弧状を呈する矩形の接続プレートとが連接して成ると共に、該接続プレートの両側に掛合部が凸設され、該接続プレートの上部一側に上方へ延出する連結プレートが設けられ、該連結プレートの底部両側にそれぞれ外側へ折曲して該一対の固定端子と連結し外側へ延出する一対の連結リブが設けられ、該一対の固定端子の底部に設けられる翼片にそれぞれ外側へ突出する係合部材が設けられる複雑な構成であることから、製造過程中に湾曲や折曲工程を組み込む必要があるので、製造がかなり複雑で面倒であった。
【課題を解決するための手段】
【０００６】
本考案の第１考案は、所定の間隔で複数の端子穴（１１）が貫通するように形成され、該複数の端子穴（１１）に前後端が露出するように複数のプレート状の雄端子（１２）が挿入される雄部ベース（１０）と、所定の間隔で複数の端子穴（２１）が貫通するように形成され、該複数の端子穴（２１）に、後端が前記雄端子（１２）の前端を挟持する略Y字形を呈する雌端子（２２）が挿入される雌部ベース（２０）とを有する回転式電気連結器において、前記雄部ベース（１０）の両側前端にそれぞれ延出部（１３）が設けられると共に、前記雌部ベース（２０）の両側後端にそれぞれ、内側に該延出部（１３）が挿入される挿入溝（２４）を有するプレート体（２３）が設けられ、それにより該雄部ベース（１０）に対して雌部ベース（２０）を回転可能とすることを特徴とする回転式電気接続器を提供するものである。
本考案の第２考案は、前記雄部ベース（１０）における延出部（１３）の外側にそれぞれ外方へ延出する回転柱（１４）が設けられると共に、前記雌部ベース（２０）におけるプレート体（２３）の後端にそれぞれ該回転柱（１４）を受け入れるための半円溝（２５）が形成されることを特徴とする、前記第１考案に記載の回転式電気接続器を提供するものである。
本考案の第３考案は、前記雄部ベース（１０）における延出部（１３）の回転柱（１４）が円柱状を呈し、前記雄部ベース（１０）における延出部（１３）の前端が弧状を呈すると共に、前記雌部ベース（２０）におけるプレート体（２３）の半円溝（２５）の前端が弧状を呈することを特徴とする、前記第１又は２考案に記載の回転式電気接続器を提供するものである。
【考案の効果】
【０００７】
本考案は上記の課題を解決するものであり、雄部ベースと雌部ベースとから成り、該雄部ベースに複数の雄端子が設けられると共に、雄部ベースの両側にそれぞれ延出部が設けられ、該延出部の外側にそれぞれ外方へ延出する回転柱が設けられ、それにより、雌部ベースと雄部ベースとを組み合わせる。また、前記雌部ベースに複数の略Y字形を呈する雌端子が設けられると共に、雌部ベースの両側における、雄部ベースの延出部及び回転柱と対応する位置にそれぞれ該延出部及び回転柱と対応する挿入溝及び半円溝が形成され、これにより、雄端子と雌端子とを電気接続させる。故に、前記本考案の構成を用いれば、雌部ベースを１８０度回転可能とすることができるので、接続動作がし易くなり、更には収納や持ち運びの利便性を高めることができる。
【考案を実施するための最良の形態】
【０００８】
以下、添付図面を参照して本考案の好適な実施の形態を詳細に説明する。
【実施例】
【０００９】
図１は本考案に係る回転式電気接続器の斜視図であり、図２は本考案に係る回転式電気接続器の分解斜視図であり、図３は本考案に係る回転式電気接続器の雌部ベースの側面断面図であり、図４は本考案に係る回転式電気接続器の雌部ベースの作動状態を示す側面断面図であり、図５は本考案に係る回転式電気接続器の雌部ベースの他の作動状態を示す側面断面図である。
【００１０】
図１及び図２に示すように、本考案の回転式電気接続器は、所定の間隔で複数の端子穴（１１）が貫通するように形成され、該複数の端子穴（１１）に前後端が露出するように複数のプレート状の雄端子（１２）が挿入されると共に、両側前端にそれぞれ延出部（１３）が設けられ、該延出部（１３）の外側にそれぞれ外方へ延出する回転柱（１４）が設けられる雄部ベース（１０）と、
所定の間隔で複数の端子穴（２１）が貫通するように形成され、該複数の端子穴（２１）に、後端が前記雄端子（１２）の前端を挟持し、厚さが前記雄端子（１２）と等しい略Y字形を呈する雌端子（２２）が挿入され、それにより電流を通過させる雌部ベース（２０）とから成る。
更に、該雌部ベース（２０）の両側後端にそれぞれプレート体（２３）が設けられ、該プレート体（２３）の内側に挿入溝（２４）が、後端に、前記回転柱（１４）が嵌め込まれる前端が砲弾形の半円溝（２５）が形成され、それにより、雌部ベース（２０）が雄部ベース（１０）に対して回転可能となる。
【００１１】
また、図１及び図３に示すように、本考案の組み立て後、ハードディスクに使用する時は、前記雌部ベース（２０）の端子穴（２１）によりハードディスクの接続器と連結するが、図４に示すように、前記雌部ベース（２０）をハードディスクの接続器と連結する場合、該雌部ベース（２０）は、雄部ベース（１０）に対して回転させることができる。
【００１２】
図３及び図５に示すように、前記雌部ベース（２０）は、ハードディスクの接続器と連結する場合、雄部ベース（１０）に対して一直線上に位置させた状態で使用することもでき、また、雄部ベース（１０）に対して１８０度回転させた状態で使用することもできるので、使用上非常に便利である。
【００１３】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１４】
【図１】本考案に係る回転式電気接続器の斜視図である。
【図２】本考案に係る回転式電気接続器の分解斜視図である。
【図３】本考案に係る回転式電気接続器の雌部ベースの側面断面図である。
【図４】本考案に係る回転式電気接続器の雌部ベースの作動状態を示す側面断面図である。
【図５】本考案に係る回転式電気接続器の雌部ベースの他の作動状態を示す側面断面図である。
【符号の説明】
【００１５】
１０        雄部ベース
１１        端子穴
１２        雄端子
１３        凸部
１４        回転柱
２０        雌部ベース
２１        端子穴
２２        雌端子
２３        プレート体
２４        挿入溝
２５        半円溝
【図１】
0003123987.tif 000003
【図２】
0003123987.tif 000004
【図３】
0003123987.tif 000005
【図４】
0003123987.tif 000006
【図５】
0003123987.tif 000007